(57)【特許請求の範囲】
【請求項１】
２本の流体管を並列状態で収容して保護する保護ダクトを接続可能な複数の接続口を備えた保護カバーにおける前記複数の接続口のうち特定接続口において１本の流体管のみが、並列した２本の配管路の一方に配管される構造の流体管保護装置であって、
前記保護カバーと、
当該保護カバーの前記特定接続口を除く他の接続口に接続されて、２本の流体管を並列状態で収容して保護可能な第１保護ダクトと、
前記保護カバーの前記特定接続口に並列状態で形成された２本の配管路の一方において当該特定接続口に接続されて、１本の流体管を収容して保護可能な第２保護ダクトと、
前記保護カバーの前記特定接続口に配置されて、当該特定接続口に並列して形成された２本の配管路の一方に配管される流体管が通過可能な通過孔と、前記特定接続口における前記通過孔を除く部分の全体を閉塞可能な閉塞板部とを備え、並列した２本の配管路において通過孔と閉塞板部との配置を反転させて使用可能な単体構造の化粧カバーと、
から成ることを特徴とする流体管保護装置。
【請求項２】
２本の流体管を並列状態で収容して保護する保護ダクトを接続可能な３つの接続口を備えたＴ字保護カバー内で１本の流体管をＴ字分岐させて、前記３つの接続口のうち１つの特定接続口において１本の流体管のみが、並列した２本の配管路の一方に接続配管される構造の流体管保護装置であって、
前記Ｔ字保護カバーと、
当該Ｔ字保護カバーの前記特定接続口を除く残りの２本の各接続口にそれぞれ接続されて、２本の流体管を並列状態で収容して保護可能な第１保護ダクトと、
前記Ｔ字保護カバーの前記特定接続口に並列状態で形成された２本の配管路の一方において当該特定接続口に接続されて、１本の流体管を収容して保護可能な第２保護ダクトと、
前記Ｔ字保護カバーの前記特定接続口に配置されて、当該特定接続口に並列して形成された２本の配管路の一方に配管される流体管が通過可能な通過孔と、前記特定接続口における前記通過孔を除く部分の全体を閉塞可能な閉塞板部とを備え、並列した２本の配管路において通過孔と閉塞板部との配置を反転させて使用可能な単体構造の化粧カバーと、
から成ることを特徴とする流体管保護装置。
【請求項３】
請求項１又は２に記載の流体管保護装置を構成する化粧カバーであって、
前記保護カバー又は前記Ｔ字保護カバーの前記特定接続口に配置されて、当該特定接続口に並列して形成された２本の配管路の一方に配管される流体管が通過可能な通過孔と、前記特定接続口における前記通過孔を除く部分の全体を閉塞可能な閉塞板部とを備え、
単体で着脱可能であって、並列した２本の配管路において通過孔と閉塞板部との配置を反転させて使用できることを特徴とする化粧カバー。
【請求項４】
前記通過孔は、１本の流体管を収容して保護可能な第２保護ダクトを接続可能な接続口であることを特徴とする請求項３に記載の化粧カバー。
【発明の詳細な説明】
【技術分野】
【０００１】
本発明は、２本の流体管を並列状態で収容して保護する保護ダクトを接続可能な複数の接続口を備えた保護カバーにおける前記複数の接続口のうち特定接続口において１本の流体管のみが、並列した２本の配管路の一方に配管される構造の流体管保護装置、及び前記特定接続口に形成された開口を閉塞するための化粧カバーに関するものである。
【背景技術】
【０００２】
例えば、特許文献１，２に示されるように、分岐保護カバー内に複数本の流体管が収容配管されて、当該分岐保護カバー内において前記複数本の流体管を２方向に分岐して配管させることがある。この場合において、分岐保護カバーは、流体管を収容して保護するための保護ダクトを接続するために３つの接続口を備えていて、流体管が分岐されてその本数が減少する接続口には、アダプターを介してサイズの小さな保護ダクトを接続可能にしている。このような、３つの接続口を備えた分岐保護カバーと、当該分岐保護カバーの分岐側の接続口に取着される１個又は２個のアダプターと、前記分岐保護カバーの各接続口に接続される当該接続口の数と同数の保護ダクトとから成る流体管保護装置では、分岐側の接続口に接続されるサイズの小さな保護ダクトの断面視における中心（軸心）は、当該接続口の中心（軸心）に配置される。
【０００３】
これに対して、給水管、及び給湯管から成る２本の流体管が接続可能な３つの接続口を備えたＴ字保護カバー内で１本の流体管をＴ字分岐させて、前記３つの接続口のうち１つの特定接続口において１本の流体管のみが、並列した２本の配管路の一方に接続配管される流体管分岐構造においては、前記特定接続口の中心（軸心）と、当該特定接続口に接続される給水管又は給湯管の１本の流体管を収容して保護するサイズの小さなダクトの中心（軸心）とは、一致しなくてずれている。従って、上記した従来のアダプターは使用できず、サイズの小さな保護ダクト内に収容された１本の流体管の配管路と並列する別の配管路の部分は開口されたままとなって、そのままであると、見栄えが悪いのみならず、Ｔ字保護カバー内に収容された継手、及び流体管の保温性が低下すると共に、前記開口からＴ字保護カバー内にゴミ類が入り込んで不衛生となる。
【特許文献１】特開平１０−３１１４９０号公報
【特許文献２】特開２００２−２５０４９７号公報
【発明の開示】
【発明が解決しようとする課題】
【０００４】
本発明は、２本の流体管を収容する第１保護ダクトが接続される接続口を有する保護カバーを備えた流体管保護装置において、１本の流体管を収容する第２保護ダクトが接続される特定接続口に不可避的に形成される開口を閉塞して流体管を配管可能にすることを課題としている。
【課題を解決するための手段】
【０００５】
上記の課題を解決するための請求項１の発明は、２本の流体管を並列状態で収容して保護する保護ダクトを接続可能な複数の接続口を備えた保護カバーにおける前記複数の接続口のうち特定接続口において１本の流体管のみが、並列した２本の配管路の一方に配管される構造の流体管保護装置であって、前記保護カバーと、当該保護カバーの前記特定接続口を除く他の接続口に接続されて、２本の流体管を並列状態で収容して保護可能な第１保護ダクトと、前記保護カバーの前記特定接続口に並列状態で形成された２本の配管路の一方において当該特定接続口に接続されて、１本の流体管を収容して保護可能な第２保護ダクトと、前記保護カバーの前記特定接続口に配置されて、当該特定接続口に並列して形成された２本の配管路の一方に配管される流体管が通過可能な通過孔と、前記特定接続口における前記通過孔を除く部分の全体を閉塞可能な閉塞板部とを備え、並列した２本の配管路において通過孔と閉塞板部との配置を反転させて使用可能な単体構造の化粧カバーとから成ることを特徴としている。
【０００６】
請求項１の発明によれば、保護カバーの複数の接続口のうち１本の流体管のみが、並列した２本の配管路のうち一方の配管路に配管される特定接続口においては、並列した２本の配管路の他方には開口が形成されるが、当該開口は、前記特定接続口に配置される化粧カバーの閉塞板部により閉塞されると共に、第２保護ダクトに収容されて前記一方の配管路に配管された流体管は、前記化粧カバーの通過孔を通過して配管される。この結果、並列配管される２本の流体管を収容可能な第１保護ダクトが接続される各接続口を備えた保護カバーにおいて、特定の１又は複数の接続口においては、並列して設けられた２本の配管路のうち一方の配管路に、１本の流体管を収容可能な第２保護ダクトが接続されると共に、他方の配管路に形成された開口は、化粧カバーの閉塞板部により閉塞されるので、特定接続口において配管される１本の流体管は、２本の流体管が並列して配管される場合と同様の状態で配管される。また、保護カバーの特定接続口に形成される開口が化粧カバーにより閉塞されて、外観の低下が防止されると共に、保護カバー内の流体管の保温性を維持できる。また、単体構造の化粧カバーを左右反転させることにより、保護カバーの特定接続口に並列して設けられた２本の配管路のうちいずれの側に開口が形成されても、当該開口は、１つの化粧カバーにより閉塞可能となる。
【０００７】
また、請求項２の発明は、２本の流体管を並列状態で収容して保護する保護ダクトを接続可能な３つの接続口を備えたＴ字保護カバー内で１本の流体管をＴ字分岐させて、前記３つの接続口のうち１つの特定接続口において１本の流体管のみが、並列した２本の配管路の一方に接続配管される構造の流体管保護装置であって、前記Ｔ字保護カバーと、当該Ｔ字保護カバーの前記特定接続口を除く残りの２本の各接続口にそれぞれ接続されて、２本の流体管を並列状態で収容して保護可能な第１保護ダクトと、前記Ｔ字保護カバーの前記特定接続口に並列状態で形成された２本の配管路の一方において当該特定接続口に接続されて、１本の流体管を収容して保護可能な第２保護ダクトと、前記Ｔ字保護カバーの前記特定接続口に配置されて、当該特定接続口に並列して形成された２本の配管路の一方に配管される流体管が通過可能な通過孔と、前記特定接続口における前記通過孔を除く部分の全体を閉塞可能な閉塞板部とを備え、並列した２本の配管路において通過孔と閉塞板部との配置を反転させて使用可能な単体構造の化粧カバーとから成ることを特徴としている。
【０００８】
請求項２の発明によれば、Ｔ字保護カバーにおける並列配置された２つの配管路の一方にのみ流体管が配管される特定接続口には、他方の配管路の部分に開口が形成されるが、当該開口は、前記特定接続口に配置される化粧カバーの閉塞板部により閉塞されると共に、第２保護ダクトに収容されて前記一方の配管路に配管された流体管は、前記化粧カバーの通過孔を通過して配管される。この結果、特定接続口において第２保護ダクトに収容されると共に、保護カバー内を貫通された状態で第１保護ダクトに収容されて直線状に配管される１本の流体管は、２本の流体管が並列して配管された場合と同様の状態で配管される。また、Ｔ字保護カバーの特定接続口に形成される開口が閉塞されて、外観の低下が防止されると共に、Ｔ字保護カバー内に収容された継手、及び流体管の保温性を維持できる。また、単体構造の化粧カバーを左右反転させることにより、Ｔ字保護カバーの特定接続口に並列して設けられた２本の配管路のうちいずれの側に開口が形成されても、当該開口は、１つの化粧カバーにより閉塞可能となる。
【０００９】
また、請求項３の発明は、請求項１又は２に記載の流体管保護装置を構成する化粧カバーであって、前記保護カバー又は前記Ｔ字保護カバーの前記特定接続口に配置されて、当該特定接続口に並列して形成された２本の配管路の一方に配管される流体管が通過可能な通過孔と、前記特定接続口における前記通過孔を除く部分の全体を閉塞可能な閉塞板部とを備え、単体で着脱可能であって、並列した２本の配管路において通過孔と閉塞板部との配置を反転させて使用できることを特徴としている。
【００１０】
請求項３の発明は、請求項１又は２の発明を「化粧カバー」の観点から把握して表現したものであって、その作用効果は、請求項１又は２の発明と実質的に同一である。
【００１１】
【００１２】
【００１３】
また、請求項４の発明は、請求項３の発明において、前記通過孔は、１本の流体管を収容して保護可能な第２保護ダクトを接続可能な接続口であることを特徴としている。
【００１４】
請求項４の発明によれば、１本の流体管を通過させるために形成された通過孔が、当該１本の流体管を収容して保護可能な第２保護ダクトを接続可能な接続口として機能しているので、２本の流体管を並列状態で収容する第１保護ダクトを接続可能な保護カバー、又はＴ字保護カバーの特定接続口に、１本の流体管を収容するための前記第１保護ダクトよりもサイズの小さな第２保護ダクトをしっかりと接続できる。
【発明の効果】
【００１５】
本発明によれば、保護カバー、又はＴ字保護カバーの複数の接続口のうち１本の流体管のみが、並列した２本の配管路のうち一方の配管路に配管される特定接続口においては、並列した２本の配管路の他方には開口が形成されるが、当該開口は、前記特定接続口に配置される化粧カバーの閉塞板部により閉塞されると共に、第２保護ダクトに収容されて前記一方の配管路に配管された流体管は、前記化粧カバーの通過孔を通過して配管される。また、単体構造の化粧カバーを左右反転させることにより、保護カバー、又はＴ字保護カバーの特定接続口に並列して設けられた２本の配管路のうちいずれの側に開口が形成されても、当該開口は、１つの化粧カバーにより閉塞可能となる。
【００１６】
この結果、保護カバーの特定接続口に形成される開口が化粧カバーにより閉塞されて、外観の低下が防止されると共に、保護カバー内の流体管の保温性を維持できる。
【発明を実施するための最良の形態】
【００１７】
以下、複数の実施形態を挙げて、本発明について更に詳細に説明する。
【実施例１】
【００１８】
最初に、Ｔ字分岐継手（チーズ継手）Ｊ1 を使用してＴ字保護カバーＣ1 内において給水管Ｐ2 をＴ字分岐させて配管された部分を当該Ｔ字保護カバーＣ1 内に収容して保護する例について説明する。図１は、Ｔ字保護カバーＣ1 を構成する基台Ｖ1 と蓋体Ｌ1 との分離状態の斜視図であり、図２（ａ），（ｂ）は、それぞれ化粧カバーＣ0 を異なる方向から見た斜視図であり、図３（ａ）は、化粧カバーＣ0 の平面図、同（ｂ）は、同（ａ）のＸ−Ｘ線断面図であり、図４は、配管例１を示す流体管保護装置Ａ1 の平面図であり、図５〜図８は、給湯管Ｐ1 とＴ字分岐継手Ｊ1 を介してＴ字分岐された給水管Ｐ2 とを並列状態で配管して、本発明に係る流体管保護装置Ａ1 内に収容して保護する順序を示す斜視図である。
【００１９】
本発明に係る流体管保護装置Ａ1 は、給湯管Ｐ1 及び給水管Ｐ2 の２本の流体管を並列状態で収容して保護する第１保護ダクトＤ1 と、給湯管Ｐ1 又は給水管Ｐ2 の１本の流体管を収容して保護する第２保護ダクトＤ2 と、前記第１保護ダクトＤ1 を接続可能な３つの接続口Ｅ1 〜Ｅ3 を備え、１本の給湯管Ｐ1 又は給水管Ｐ2 をＴ字分岐させたり、或いは９０°に屈曲させた部分を収容して保護するＴ字保護カバーＣ1 と、当該Ｔ字保護カバーＣ1 の３つの接続口Ｅ1 〜Ｅ3 のうち前記第２保護ダクトＤ2 が接続される特定の１つの接続口Ｅ1(Ｅ2,Ｅ3)  に形成される開口７０を閉塞するための化粧カバーＣ0 とで構成される。
【００２０】
第１保護ダクトＤ1 は、図５及び図６に示されるように、給湯管Ｐ1 、給水管Ｐ2 のような２本の流体管を並列状態で収容して保護するダクトであって、壁面ＷにビスＢ（図５参照）を介して固定される基台５１と、係止構造により当該基台５１に分離可能に覆蓋される蓋体５２とで構成される。基台５１は、基板部５３に２本の流体管を並列状態で保持可能なように２つの管保持部５４が並列して形成され、各管保持部５４に流体管を収容保持した状態で、即ち２本の流体管を並列状態で保持した状態で、当該基台５１には蓋体５２が覆蓋されて、２本の流体管は、基台５１と蓋体５２とで形成される収容空間５５に収容される。なお、管保持部５４は、弾性変形可能な一対の保持片５４ａで構成される。
【００２１】
第２保護ダクトＤ2 は、図５及び図６に示されるように、給湯管Ｐ1 又は給水管Ｐ2 のような１本の流体管を収容して保護するダクトであって、壁面ＷにビスＢを介して固定される基台６１と、係止構造により当該基台６１に分離可能に覆蓋される蓋体６２とで構成される。基台６１は、基板部６３に一対の保持片６４ａから成る管保持部６４が形成され、当該管保持部６４に給湯管Ｐ1 又は給水管Ｐ2 を収容保持した状態で、当該基台６１には蓋体６２が覆蓋されて、給湯管Ｐ1 又は給水管Ｐ2 は、基台６１と蓋体６２とで形成される収容空間６５に収容される。
【００２２】
Ｔ字保護カバーＣ1 は、図１及び図４に示されるように、全体がＴ字状をなしていて、複数本のビスＢを介して壁面Ｗに固定される基台Ｖ1 と、当該基台Ｖ1 に覆蓋される蓋体Ｌ1 とで構成され、当該基台Ｖ1 と蓋体Ｌ1 とは、後述の係止構造によって分離可能に係止されて一体に結合される。基台Ｖ1 と蓋体Ｌ1 とはいずれも樹脂の射出成形により成形される。基台Ｖ1 は、Ｔ字板状の基台板部１を備えていて、蓋体Ｌ1 の覆蓋によって、本管配管方向Ｑ1 に沿って形成される２つの接続口Ｅ1,Ｅ2 と、本管配管方向Ｑ1 と直交する分岐配管方向Ｑ2 に沿った１つの接続口Ｅ3 との計３つの接続口を備えている。基台Ｖ1 の基台板部１の３つの各接続口Ｅ1 〜Ｅ3 を除く部分には、背丈の低い薄板状をしていて直角にわん曲された２つのＬ字状の第１立壁部２と、直線状の１つの第２立壁部３とが当該基台板部１に対して垂直となって形成されている。
【００２３】
第１及び第２の各立壁部２，３は、いずれも長手方向の両端部は、中央部に対して同一板厚を保持して僅かに内方に配置されていて、長手方向の両端部と中央部との接続部は、屈曲状態に形成されていると共に、第１及び第２の各立壁部２，３の中央部の高さ方向に沿った下端部を除く部分は、各立壁部２，３の両端部の板厚よりも厚くなっている。第１及び第２の各立壁部２，３が上記形状になっているのは、後述のように、基台Ｖ1 に対して蓋体Ｌ1 が係止により一体に結合された状態で、前記係止を解除する際に、係止部分における蓋体Ｌ1 の側壁部２１，２２と第１及び第２の各立壁部２，３との間に、係止解除の操作を可能にするための弾性変形空間２９（図１０参照）を形成するためである。基台板部１における３つの各接続口Ｅ1 〜Ｅ3 には、第１及び第２の各保護ダクトＤ1,Ｄ2 の基台５１，６１と幅方向の位置決めを行って接続可能にするための一対の位置決め突条４が、本管配管方向Ｑ1 及び分岐配管方向Ｑ2 に沿って一体に形成されている。
【００２４】
また、図１、図４及び図１０に詳細に示されているように、基台Ｖ1 の各接続口Ｅ1 〜Ｅ3 に臨む部分である各立壁部２，３の端部の対向する内側面には、後述する蓋体Ｌ1 の係止突起２４ａ，２４ｂ（図１０参照）と係止可能な被係止突起５がそれぞれ配管方向Ｑ1 ，Ｑ2 に沿って形成されている。接続口Ｅ3 に臨む部分に形成された一対の被係止突起５が対向して形成されている。被係止突起５は、当該被係止突起５の先端面に対して後述する蓋体Ｌ1 の係止突起２４ａ，２４ｂが摺動して、当該係止突起２４ａ，２４ｂと係止し易いように、台形状の横断面形状を有している（図１０参照）。被係止突起５は、各立壁部２，３の高さ方向に沿って中央部よりも僅かに上方に配置されていて、当該被係止突起５と後述の蓋体Ｌ1 の係止突起２４ａ，２４ｂとが係止された状態で、当該蓋体Ｌ1 が基台Ｖ1 に対して両配管方向Ｑ1 ，Ｑ2 にずれるのを防止するためのずれ防止溝６が基台板部１に対して垂直に形成されている。当該ずれ防止溝６は、各立壁部２，３の上端に開口して、基台板部１の上面にまで達しており、ずれ防止溝６の開口部は、蓋体Ｌ1 の第１連結板部２５を挿入し易いように、上端に向けて広くなるようなハの字形に開口されている。なお、図１、図４及び図１０において、７は、第１及び第２の各立壁部２，３の内側面に対して内方に突出して形成された被係止突起５を成形可能にするための移動型（スライドコア）の抜孔を示す。
【００２５】
また、基台板部１には、接続口Ｅ1 ，Ｅ2 の幅方向の中央に本管配管方向Ｑ1 に沿って第１配管案内線８が形成されていると共に、接続口Ｅ3 の幅方向の中央に分岐配管方向Ｑ2 に沿って第２配管案内線９が形成されて、第１及び第２の各配管案内線８，９の交点には円形のビス挿通孔１１が形成されていると共に、第１配管案内線８の各接続口Ｅ1 ，Ｅ2 に臨む部分、及び第２配管案内線９における接続口Ｅ3 に臨む部分には、それぞれ長孔状のビス挿通孔１２が形成されている。
【００２６】
一方、蓋体Ｌ1 は、図１及び図１０に示されるように、全体形状が略Ｔ字状をなしていて、全体が略Ｌ字状にわん曲された一対の第１側壁部２１と、直線壁状であって横断面でわん曲された第２側壁部２２との計３枚の側壁部２１，２２とが略Ｔ字状をした天壁部２３で一体に連結されることにより、本管配管方向Ｑ1 に形成された一対の接続口Ｅ1,Ｅ2 と、当該各接続口Ｅ1,Ｅ2 と直交する方向に開口された接続口Ｅ3 との計３つの接続口Ｅ1 〜Ｅ3 を備えていて、天壁部２３と反対の面が開口された構成である。
【００２７】
なお、接続口Ｅ1 〜Ｅ3 とは、正確には基台Ｖ1 に対して蓋体Ｌ1 を覆蓋された状態において、第１保護ダクトＤ1 又は第２保護ダクトＤ2 の端部を挿入して接続するために、全周が囲まれて形成された開口であるが、用語の正確性には多少欠けるが、説明の便宜上、基台Ｖ1 及び蓋体Ｌ1 の「接続口形成予定部」に対してもそれぞれ接続口Ｅ1 〜Ｅ3 の用語を用いた。
【００２８】
次に、図１及び図１０を参照にして、蓋体Ｌ1 の各側壁部２１，２２の内側面における基台Ｖ1 の各接続口Ｅ1 〜Ｅ3 に臨む部分に対向して設けられた各被係止突起５と対応する部分に形成された蓋体側係止部Ｇについて簡単に説明する。蓋体側係止部Ｇは、各側壁部２１，２２の内側面に、互いに直交した第１及び第２の各連結板部２５，２６を介して当該内側面との間に所定の間隔をおいて係止板部２７が設けられ、当該係止板部２７の内側面に係止突起２４ａ，２４ｂが形成された構成である。第１連結板部２５は、接続口Ｅ1 〜Ｅ3 と平行となって係止板部２７の奥側の端部に配置され、第２連結板部２６は、蓋体Ｌ1 の天壁部２３と平行な開口２８に対して係止板部２７の奥側の端部に配置されている。係止板部２７の内側面には、前記開口２８又は天壁部２３に対して垂直な方向に沿って所定間隔をおいて各係止突起２４ａ，２４ｂが各配管方向Ｑ1,Ｑ2 に沿って配置されている。
【００２９】
そして、基台Ｖ1 に対して蓋体Ｌ1 を覆蓋させると、蓋体Ｌ1 の第１及び第２の各側壁部２１，２２の開口２８に臨む部分が内方に弾性変形されて、蓋体Ｌ1 の各係止突起２４ａ，２４ｂが基台Ｖ1 の被係止突起５を乗り越えると、基台Ｖ1 の被係止突起５と蓋体Ｌ1 の係止突起２４ａとが係止して、基台Ｖ1 に対して蓋体Ｌ1 が外れないように覆蓋される。また、基台Ｖ1 に対して蓋体Ｌ1 が覆蓋された状態で、前記係止を解除するには、基台Ｖ1 の第１及び第２の立壁部２，３と蓋体Ｌ1 の第１及び第２の各側壁部２１，２２との間に形成された弾性変形空間２９を利用して、蓋体Ｌ1 の第１及び第２の各側壁部２１，２２の開口２８に臨んだ部分を内方に弾性変形させることにより行う。なお、蓋体Ｌ1 と壁面Ｗとの間に小干渉物（図示せず）が存在する場合には、基台Ｖ1 の被係止突起５と蓋体Ｌ1 の係止突起２４ｂとを係止させることにより、前記小干渉物を回避して基台Ｖ1 に対して蓋体Ｌ1 を覆蓋できる。なお、図１０において、１３は、Ｔ字分岐継手Ｊ1 及びエルボ継手Ｊ2 を収容するための収容空間を示す。
【００３０】
次に、図２〜図４、図６及び図７を参照して、Ｔ字保護カバーＣ1 の３つの接続口Ｅ1 〜Ｅ3 のうち前記第２保護ダクトＤ2 が接続される１つの特定接続口Ｅ1(Ｅ2,Ｅ3)  に形成される開口７０（図１及び図９参照）を閉塞するための化粧カバーＣ0 について説明する。化粧カバーＣ0 は、第２保護ダクトＤ2 の蓋体６２の外側に嵌着される前後一対の嵌着部３１と、当該一対の嵌着部３１の側方であって、しかも前後一対の嵌着部３１の間に一体となって配置されて、前記特定接続口Ｅ1 の非配管側の配管路Ｋ2 に形成される開口７０を閉塞するための閉塞板部３２とで形成される。一対の嵌着部３１の側方に配置された前記閉塞板部３２は、前記方向（配管方向）に沿って一対の嵌着部３１の間まで延設されていて、前記閉塞板部３２及び当該延設部３３を合成した形状は、その外側にＴ字保護カバーＣ1 の蓋体Ｌ1 が隙間なく嵌着される形状となっている（図９参照）。一対の嵌着部３１は、正面視でＵ字状をなしていて、一枚板状となっているが、閉塞板部３２は、中空構造となっていて、内部に配置された複数の補強板部３４で補強されている。一対の嵌着部３１の内側に形成される空間部は、第２保護ダクトＤ2 を通過させる通過孔３５となっている。
【００３１】
第１保護ダクトＤ2 の接続口Ｅ1 〜Ｅ3 は、２本の流体管を並列状態で収容して保護する第１保護ダクトＤ1 を接続可能になっていて、当該接続口Ｅ1 〜Ｅ3 に、１本の流体管を収容して保護する第２保護ダクトＤ2 を接続した場合には、並列して設けられた２本の配管路Ｋ1,Ｋ2(Ｋ3,Ｋ4)のいずれの側に開口が形成されるかは、配管態様によって異なる。このため、前後方向（配管方向）に沿って配置された一対の嵌着部３１の間であって、しかも当該一対の嵌着部３１の側方に閉塞板部３２を配置した化粧カバーＣ0 を使用することにより、並列した２本の配管路Ｋ1,Ｋ2(Ｋ3,Ｋ4)のいずれの側に開口が形成されても、化粧カバーＣ0 を左右反転させることにより、１つの化粧カバーＣ0 により前記開口を閉塞可能にしてある。また、化粧カバーＣ0 は、図４に示されるように、Ｔ字保護カバーＣ1 の基台Ｖ1 の接続口Ｅ1 〜Ｅ3 の部分に接続した状態での使用が典型例であるため、閉塞板部３２を構成する板体部３２ａには、基台Ｖ1 の接続口Ｅ1 〜Ｅ3 に形成された一対の位置決め突条４の一方との干渉を回避するための逃溝３６が設けられている。
【００３２】
〔配管例１〕
次に、図４〜図９を参照して、Ｔ字分岐継手（チーズ継手）Ｊ1 を使用してＴ字保護カバーＣ1 内において給水管Ｐ2 をＴ字分岐させて配管された部分を当該Ｔ字保護カバーＣ1 内に収容して保護する場合の配管例１について説明する。この配管例は、給水源からの給水管Ｐ2 により供給された水を、Ｔ字保護カバーＣ1 内に収容されるＴ字分岐継手Ｊ1 を介してＴ字分岐させた後に別の給水管Ｐ2 により給湯器の部分まで導いて、当該給湯器で加熱された湯は、給湯管Ｐ1 により前記Ｔ字保護カバーＣ1 の部分に戻されて、エルボ継手Ｊ2 を介して９０°変換させた後に、前記Ｔ字分岐継手Ｊ1 により直線接続した給水管Ｐ2 と並列された給湯管Ｐ1 により湯水混合水栓まで、本管配管方向Ｑ1 に沿った給水管Ｐ2 により供給される水と一緒に供給される。本配管例１では、３つの接続口Ｅ1 〜Ｅ3 のうち、第２保護ダクトＤ2 が接続される接続口Ｅ1 のみが、１本の流体管のみが接続される「特定接続口」となっている。なお、図４には、上記した給水源、給湯器及び湯水混合水栓は、いずれも図示されていない。
【００３３】
まず、図５に示されるように、壁面Ｗにおける給水管Ｐ2 をＴ字分岐させる位置にＴ字保護カバーＣ1 の基台Ｖ1 を複数本のビスＢを介して固定し、その後に、給湯管Ｐ1 及び給水管Ｐ2 が並列配管される前記基台Ｖ1 の接続口Ｅ2,Ｅ3 の部分には、それぞれ第１保護ダクトＤ1 の基台５１を接続させてビス（図示せず）を介して固定する。Ｔ字保護カバーＣ1 の基台Ｖ1 と第１保護ダクトＤ1 の基台５１とは、当接又はほぼ当接した状態である。一方、並列した２本の各配管路Ｋ1,Ｋ2 の一方の配管路Ｋ1 （接続口Ｅ3 に対して大きく離れた側の配管路）に第２保護ダクトＤ2 が接続される基台Ｖ1 の接続口Ｅ1 の部分には、Ｔ字保護カバーＣ1 の基台Ｖ1 と第２保護ダクトＤ2 の基台６１との間に所定の隙間７１（図５及び図９参照）を有した状態で、第２保護ダクトＤ2 の基台６１を接続させる。このように隙間７１が形成されるのは、当該隙間７１の部分に配置される化粧カバーＣ0 の閉塞板部３２及びその延設部３３の部分が、Ｔ字保護カバーＣ1 の蓋体Ｌ1 で覆われるように前記化粧カバーＣ0 を配置するためである。
【００３４】
次に、Ｔ字保護カバーＣ1 の基台Ｖ1 の接続口Ｅ1,Ｅ2 の部分にそれぞれ接続されて、当該基台Ｖ1 を介して直線状に接続された第１及び第２の各保護ダクトＤ1,Ｄ2 の管保持部５４，６４に給水管Ｐ2 をそれぞれ収容すると共に、基台Ｖ1 の接続口Ｅ3 に接続された第１保護ダクトＤ1 における基台Ｖ1 の接続口Ｅ1 の側の管保持部５４に給水管Ｐ2 を収容保持させて、前記基台Ｖ1 内に収容されたＴ字分岐継手Ｊ1 を介して前記した３本の給水管Ｐ2 を接続することにより、本管配管方向Ｑ1 に沿って接続される２本の給水管Ｐ2 から１本の給水管Ｐ2 を分岐配管方向Ｑ2 に分岐配管させる。一方、本管配管方向Ｑ1 及び分岐配管方向Ｑ2 に沿って配置された２本の第１保護ダクトＤ1 の各基台５１における残りの管保持部５４にそれぞれ収容保持された各給湯管Ｐ1 を、Ｔ字保護カバーＣ1 内に収容されたエルボ継手Ｊ2 を介して接続させる。
【００３５】
次に、図６に示されるように、Ｔ字保護カバーＣ1 の基台Ｖ1 の接続口Ｅ1 に接続された第２保護ダクトＤ2 の基台６１に蓋体６２を覆蓋させると共に、前記基台Ｖ1 の残りの２つの接続口Ｅ2,Ｅ3 に接続された各第１保護ダクトＤ1 の基台５１に蓋体５２をそれぞれ蓋体させる。この状態で、Ｔ字保護カバーＣ1 の基台Ｖ1 に蓋体Ｌ1 を覆蓋させると、接続口Ｅ1 における第２保護ダクトＤ2 が配置されていない側の配管路Ｋ2 に対応する部分に開口７０（図９参照）が形成されてしまう。そこで、図６、図７及び図９に示されるように、Ｔ字保護カバーＣ1 の基台Ｖ1 と第２保護ダクトＤ2 との間の隙間７１を覆うようにして、化粧カバーＣ0 の一方の嵌着部３１を第２保護ダクトＤ2 の蓋体６２の外側に嵌着させることにより、当該化粧カバーＣ0 を前記隙間７１の部分に配置させる。ここで、前記嵌着は、図９に示されるように、第２保護ダクトＤ2 の蓋体６２の全周に亘って隙間なく行われており、当該嵌着状態において化粧カバーＣ0 の嵌着部３１が外方に僅かに弾性変形されるようにしておくと、当該嵌着部３１の弾性復元力により取り外れることなくしっかり嵌着されるが、当該嵌着のみでは不十分な場合には、例えは嵌着面に両面テープを貼り付ければよい。なお、第２保護ダクトＤ2 に対する化粧カバーＣ0 の固定は、両面テープのみで行うことも可能である。また、第２保護ダクトＤ2 の蓋体６２の外側に嵌着されていない側の嵌着部３１の本管配管方向Ｑ1 に沿った一部は、Ｔ字保護カバーＣ1 の第２立壁部３の接続口Ｅ1 の側の端部の外側に配置される（図９参照）。なお、Ｔ字保護カバーＣ1 の基台Ｖ1 の接続口Ｅ1 に形成された一対の位置決め突条４の一方は、化粧カバーＣ0 の閉塞板部３２を形成する板体部３２ａの端面側に形成された逃溝３６に入り込んでいて、両者の干渉が回避されている。
【００３６】
最後に、図８及び図９に示されるように、壁面Ｗに固定されたＴ字保護カバーＣ1 の基台Ｖ1 に対して蓋体Ｌ1 を覆蓋させると、当該蓋体Ｌ1 の第１及び第２の各側壁部２１，２２の接続口Ｅ2,Ｅ3 の端部が第１保護ダクトＤ1 の蓋体５２の外側に嵌着されると共に、第１及び第２の各側壁部２１，２２の接続口Ｅ1 の端部が化粧カバーＣ0 の閉塞板部３２及び延設部３３の外側に嵌着される。これにより、化粧カバーＣ0 の一対の嵌着部３１のうちＴ字保護カバーＣ1 の蓋体Ｌ1 で覆われていない側の嵌着部３１に第２保護ダクトＤ2 が接続された形態となって、Ｔ字保護カバーＣ1 の接続口Ｅ1 における第２保護ダクトＤ2 の側方の給湯管Ｐ1 又は給水管Ｐ2 が配管されていない配管路Ｋ2 に形成される開口７０は、化粧カバーＣ0 の閉塞板部３２により閉塞される。なお、図４において、Ｋ3,Ｋ4 は、分岐配管方向Ｑ2 に沿って並列して設けられた配管路を示す。
【００３７】
〔配管例２〕
また、図１１及び図１２に示される配管例２は、上記した流体管保護装置Ａ1 を用いて上記とは異なる配管をした例である。即ち、本管配管方向Ｑ1 に沿って接続口Ｅ3 から離れた側の配管路Ｋ1 には給水管Ｐ2 が継手を介することなく直線状に配管され、本管配管方向Ｑ1 に沿った別の配管路Ｋ2 には給湯管Ｐ1 が配管されて、Ｔ字分岐継手Ｊ1 を介して分岐配管方向Ｑ2 に分岐配管されている。このため、Ｔ字保護カバーＣ1 の接続口Ｅ3 に並列して形成される２本の配管路Ｋ3,Ｋ4 のうち接続口Ｅ2 の側の配管路Ｋ4 には、第２保護ダクトＤ2 が化粧カバーＣ0 を介して接続されているが、他方の配管路Ｋ3 には開口７０が形成されるが、当該開口７０は、化粧カバーＣ0 の閉塞板部３２で閉塞されている。
【００３８】
また、図４及び図１１に示される各配管例においては、化粧カバーＣ0 は、左右反転して使用されている。即ち、同一の化粧カバーＣ0 により、並列して設けられた２本の配管路のいずれの側に形成された開口も閉塞可能となっている。化粧カバーＣ0 の左右反転使用を可能にしたのは、前後方向（配管方向）に設けられた一対の嵌着部３１の間であって、しかもその側方に閉塞板部３２が配置されて、化粧カバーＣ0 は、平面視において当該閉塞板部３２の幅方向の中心を通って配管方向に直交する中心線Ｍ（図３参照）に対して対称な形状になっているからである。
【００３９】
〔配管例３〕
更に、図１３に示される配管例３は、給水管Ｐ2 は配管路Ｋ1 において継手を介することなく直線状に配管されているが、給湯管Ｐ1 は、エルボ継手Ｊ2 を介して９０°屈曲されて分岐配管方向Ｑ2 に配管されている。即ち、本管配管方向Ｑ1 に沿って並列して配管されている給湯管Ｐ1 及び給水管Ｐ2 の２本の流体管のうち給湯管Ｐ1 のみが、Ｔ字保護カバーＣ1 の部分において９０°屈曲されて分岐配管される例である。このため、Ｔ字保護カバーＣ1 の各接続口Ｅ2,Ｅ3 の部分における配管されない配管路Ｋ2,Ｋ3 においてそれぞれ開口７０が形成されるが、この部分にそれぞれ化粧カバーＣ0 を配置することにより、各開口７０は閉塞板部３２によりそれぞれ閉塞される。本配管例３では、１本の流体管のみが接続される「特定接続口」が２つ（接続口Ｅ2,Ｅ3)ある場合である。
【００４０】
配管例１，２は、直線配置された２本の流体管の並列配管を維持したままで、Ｔ字分岐継手Ｊ1 を使用して、一方の流体管の途中で流量を減少させて、９０°屈曲させた方向に分岐させる例であるが、配管例３は、直線的に並列配管されている２本の流体管の一方を途中でエルボ継手Ｊ2 を介して９０°屈曲させることにより、流量をそのままにして分岐させる例であり、同じく「分岐」であっても内容が異なる。
【００４１】
また、配管例２，３の特定接続口Ｅ3 においては、配管路Ｋ4 の側に第２保護ダクトＤ2 を配置することも可能である。なお、図１３に示される配管例３においては、特定接続口Ｅ3 に接続される流体管（給湯管Ｐ1)に関しては、本発明に係る化粧カバーＣ0 を用いて、並列された２本の配管路の一方に配管することなく、接続口の中心から流体管を引き出すことのできる従来のアダプターを用いて配管することも可能であるが、配管例３のように、並列した２本の配管路の一方に片寄らせて配管することで、下流側で別の配管経路を経た流体管と合流して並列配管される場合には、合流前後において同一直線上の配管路に流体管を配管できる利点がある。
【実施例２】
【００４２】
次に、図１４及び図１５を参照して、流体管保護装置Ａ2 について説明する。流体管保護装置Ａ2 は、第１保護ダクトＤ1 と、第２保護ダクトＤ2 と、前記第１保護ダクトＤ1 を直線状にして接続可能な２つの接続口Ｅ4,Ｅ5 を備えた直状保護カバーＣ2 と、当該直状保護カバーＣ2 の２つの接続口Ｅ4,Ｅ5 に形成される開口を閉塞するための化粧カバーＣ0 とで構成される。直状保護カバーＣ2 は、基台板部８１に分岐孔８２が形成された基台Ｖ2 と、当該基台Ｖ2 に係止構造により分離可能に係止される蓋体Ｌ2 とで構成される。基台Ｖ2 の基台板部８１に形成された分岐孔８２は、壁体に形成された壁貫通孔９１と合致して、エルボ継手Ｊ2 を介して壁裏側に分岐された流体管を挿通させる孔である。
【００４３】
直状保護カバーＣ2 の接続口Ｅ5 の部分までは、給湯管Ｐ1 と給水管Ｐ2 とが第１保護ダクトＤ1 内に並列状態で収容されて配管され、直状保護カバーＣ2 内において給湯管Ｐ1 はエルボ継手Ｊ2 を介して壁貫通孔９１内に貫通された別の給湯管Ｐ1 に接続されることにより、並列して配管された給湯管Ｐ1 及び給水管Ｐ2 のうち給湯管Ｐ1 は、壁裏側に分岐して配管される。このため、直状保護カバーＣ2 の接続口Ｅ6 の部分には、上記と同様にして化粧カバーＣ0 を介して第２保護ダクトＤ2 を接続して、当該第２保護ダクトＤ2 内に給水管Ｐ2 を収容する。直状保護カバーＣ2 の接続口Ｅ6 の部分では、並列となった２本の配管路Ｋ5,Ｋ6 のうち配管路Ｋ5 に給水管Ｐ2 が配管されて、別の配管路Ｋ6 の部分に開口７０が形成されるが、当該開口７０は、前記接続口Ｅ6 の部分に配置された化粧カバーＣ0 の閉塞板部３２により閉塞される。
【００４４】
また、実施例１の配管例１，３、及び実施例２において、並列配管された２本の流体管の一方を直線で配管できて、流体管を屈曲させる必要がないので、屈曲性のない硬質管を使用して配管可能となる。
【００４５】
また、上記実施例の化粧カバーＣ0 の嵌着部３１は、１本の流体管を収容する第２保護ダクトＤ2 を接続する機能を有しているために、２本の流体管を収容する第１保護ダクトＤ1 を接続するために各保護カバーＣ1,Ｃ2 に設けられた接続口Ｅ1 〜Ｅ6 に、当該第１保護ダクトＤ1 よりも小さなサイズの第２保護ダクトＤ2 をしっかりと接続できる利点があると共に、一対の嵌着部３１が設けられることにより、保護カバーの接続口において化粧カバーの左右反転使用が可能となる利点があるが、本発明においては、化粧カバーの嵌着部が接続口としての機能、及び左右反転使用機能を有していることは必須の要件ではない。従って、特定接続口に形成された開口を閉塞する機能のみを有する化粧カバーであっても、本発明の範囲内のものである。
【図面の簡単な説明】
【００４６】
【図１】Ｔ字保護カバーＣ1 を構成する基台Ｖ1 と蓋体Ｌ1 との分離状態の斜視図である。
【図２】（ａ），（ｂ）は、それぞれ化粧カバーＣ0 を異なる方向から見た斜視図である。
【図３】（ａ）は、化粧カバーＣ0 の平面図であり、（ｂ）は、（ａ）のＸ−Ｘ線断面図である。
【図４】配管例１を示す流体管保護装置Ａ1 の平面図である。
【図５】Ｔ字保護カバーＣ1 の基台Ｖ1 と第１及び第２の各保護ダクトＤ1,Ｄ2 の基台５１，６１とを接続させて壁面Ｗに固定した状態の斜視図である。
【図６】Ｔ字保護カバーＣ1 の基台Ｖ1 に接続された第１及び第２の各保護ダクトＤ1,Ｄ2 の基台５１，６１に蓋体５２，６２をそれぞれ覆蓋させた状態の斜視図である。
【図７】Ｔ字保護カバーＣ1 の基台Ｖ1 の接続口Ｅ1 に接続された第２保護ダクトＤ2 の端部に化粧カバーＣ0 を嵌着させた状態の斜視図である。
【図８】Ｔ字保護カバーＣ1 の基台Ｖ1 に蓋体Ｌ1 を覆蓋させて、接続口Ｅ1 の部分に化粧カバーＣ0 を介して第２保護ダクトＤ2 が接続されると共に、接続口Ｅ2,Ｅ3 の部分に第１保護ダクトＤ1 が接続された状態の斜視図である。
【図９】Ｔ字保護カバーＣ1 の基台Ｖ1 に蓋体Ｌ1 を覆蓋させて、接続口Ｅ1 の部分に化粧カバーＣ0 を介して第２保護ダクトＤ2 が接続された状態を裏面側から見た部分斜視図である。
【図１０】図４のＹ−Ｙ線拡大断面図である。
【図１１】配管例２を示す流体管保護装置Ａ1 の平面図である。
【図１２】同じく斜視図である。
【図１３】配管例３を示す流体管保護装置Ａ1 の平面図である。
【図１４】流体管保護装置Ａ2 の平面図である。
【図１５】図１４のＺ−Ｚ線断面図である。
【符号の説明】
【００４７】
Ａ1,Ａ2 ：流体管保護装置
Ｃ0 ：化粧カバー
Ｃ1 ：Ｔ字保護カバー
Ｃ2 ：直状保護カバー
Ｄ1 ：第１保護ダクト
Ｄ2 ：第２保護ダクト
Ｅ1 〜Ｅ6 ：接続口
Ｊ1 ：Ｔ字分岐継手
Ｊ2 ：エルボ継手
Ｋ1 〜Ｋ6 ：配管路
Ｐ1 ：給湯管（流体管）
Ｐ2 ：給水管（流体管）
Ｑ1 ：本管配管方向
Ｑ2 ：分岐配管方向
３１：嵌着部
３２：閉塞板部
３５：通過孔
【図１】
0005069178.tif 000002
【図２】
0005069178.tif 000003
【図３】
0005069178.tif 000004
【図４】
0005069178.tif 000005
【図５】
0005069178.tif 000006
【図６】
0005069178.tif 000007
【図７】
0005069178.tif 000008
【図８】
0005069178.tif 000009
【図９】
0005069178.tif 000010
【図１０】
0005069178.tif 000011
【図１１】
0005069178.tif 000012
【図１２】
0005069178.tif 000013
【図１３】
0005069178.tif 000014
【図１４】
0005069178.tif 000015
【図１５】
0005069178.tif 000016